(57)【要約】【課題】  複数の記録メディアを有効に使用して、記録後の画像ファイルの整理・検索を容易にすることが可能な画像記録方法および装置を提供する。【解決手段】  撮影画像保存用メディアおよび管理データ保存メディアの２枚を挿入し撮影する。管理データ保存メディアには、撮影した画像に対し、表示やインデックス印刷可能な必要最低限が小さい画像もしくは圧縮率を高めにした画像、撮影情報、カメラＩＤ、ユーザが任意に指定した情報を保存することで、複数のカメラ、複数のメディアを使用しての撮影であっても、管理データ保存メディアのみで、撮影画像保存用メディアの抜き差しをすることなく、撮影した画像の表示または配列表示・検索・印刷・画像削除指示が可能となる。【選択図】  図１
2008113166.tif 000002
【特許請求の範囲】
【請求項１】
被写体を撮像する撮像手段と、
前記撮像手段により得られた被写体像から、第１の画像データと、第１の画像データよりもサイズの小さい第２の画像データを得る画像処理手段と、
前記第１及び第２の画像データを異なる記憶手段に記憶する記憶制御手段と、
前記記憶制御手段は、第２の画像データを記憶する記憶手段に前記第１及び第２の画像データの関連性を示す管理データも記憶することを特徴とする撮像装置。
【請求項２】
前記第１及び第２の画像データを表示する表示手段を有し、
前記第２の画像データを表示中に前記第１の画像データの表示指示があった場合には、前記管理データに基づき、表示中の第２の画像データに対応する第１の画像データを読み出して表示する表示制御手段を有する請求項１に記載の撮像装置。
【請求項３】
前記表示制御手段は、表示の形態に応じて前記第１の画像データを読み出して表示するか、前記第２のデータを読み出して表示するかを制御することを特徴とする請求項２に記載の撮像装置。
【請求項４】
前記第１及び第２の画像データを印刷装置に送信するための印刷制御手段を有し、
前記印刷制御手段は、印刷の形態に応じて第１の画像データを送信するか、第２のデータを送信するかを制御することを特徴とし、
前記第２の画像データを送信する場合には、前記管理データに基づき第２の画像データを読み出すことを特徴とする請求項１に記載の撮像装置。
【請求項５】
被写体を撮像する撮像工程と、
前記撮像工程により得られた被写体像から、第１の画像データと、第１の画像データよりもサイズの小さい第２の画像データを得る画像処理工程と、
前記第１及び第２の画像データを異なる記憶工程に記憶する記憶制御工程と、
前記記憶制御工程は、第２の画像データを記憶する記憶部に前記第１及び第２の画像データの関連性を示す管理データも記憶することを特徴とする撮像装置の制御方法。
【請求項６】
撮像装置に、
被写体を撮像する撮像工程と、
前記撮像工程により得られた被写体像から、第１の画像データと、第１の画像データよりもサイズの小さい第２の画像データを得る画像処理工程と、
前記第１及び第２の画像データを異なる記憶工程に記憶する記憶制御工程を実行させることを特徴とし、
前記記憶制御工程は、第２の画像データを記憶する記憶部に前記第１及び第２の画像データの関連性を示す管理データも記憶することを特徴とする撮像装置の制御プログラム。
【発明の詳細な説明】
【技術分野】
【０００１】
本発明は画像記録・再生方法及び装置に係り、特に、撮像素子を用いて光学像を電気信号に変換し、静止画や動画の画像情報を記録媒体に記録するデジタルカメラ等に適用される画像データの記録・再生技術に関する。
【背景技術】
【０００２】
一般的なデジタルカメラの場合、撮影した画像のデータを記録する手段として、メモリカードなどの記録媒体（メディア）が用いられ、カメラ本体には記録メディアを挿入するためのスロット（メディアスロット）が設けられている。また、カメラ本体に複数の記録メディアを装着可能とした装置が知られている（例えば、特許文献１）。また、カメラ本体以外の装置に複数の記録メディアを装着可能な構造を採用し、この外部装置とカメラ本体の間でデータの受け渡しを行うシステムが提案されている（例えば、特許文献２）。
【０００３】
また、記録容量の異なる複数の記録媒体を用い、データサイズの大きい画像データは前記複数の記録媒体のうち容量の大きい記録媒体に記録し、データサイズの小さい画像データは前記複数の記録媒体のうち容量の小さい記録媒体に記録するように、データサイズに応じて記録媒体を自動選択することを特徴とする画像記録方法が提案されている（例えば、特許文献３）。
【特許文献１】特開平６−８６１２８号公報
【特許文献２】特開平１０−２７６３９３号公報
【特許文献３】特開２００１−２４５２４８公報
【発明の開示】
【発明が解決しようとする課題】
【０００４】
特にデジタルカメラ装置において、撮影画像の品質を向上させるために、１枚の撮影で作成する画像データサイズは非常に大きなものとなり、記録媒体の容量によっては、１枚の記録媒体に記録できる画像枚数がわずか数枚というケースも発生しており、わずか１日でも複数枚の記録媒体を交換しながら撮影しなければならない。そのために、1日の撮影した画像の中から見たい画像を確認するには、まず、見たい画像が記録されている記録媒体に交換しなければならないが、その見たい画像がどの記録媒体にあるのか事体を撮影者が完全に把握するのが難しく、何度も記録媒体の交換を行ってようやく見たい画像が表示されるなど、非常に煩わしかったという課題を抱えている。また、複数の記録媒体にまたがって撮影画像が記録された場合、デジタルカメラ装置における撮影日時やファイル番号での検索機能でさえも利用できないという課題を抱えていた。
【０００５】
本発明はこのような事情に鑑みてなされたもので、複数の記録媒体に記録・再生することを有効に活用し、一方のスロットに挿入された記憶媒体には、小画像データ、撮影情報および管理データ、そしてもう一方のスロットに挿入された記録媒体には本画像データおよび撮影情報を記憶させることで、複数にまたがって本画像が記録されても、小画像データ、撮影情報および管理データを記憶する記録媒体を再生に主に使用することで、記録媒体の抜き差しをほとんど行わずに、画像データおよび撮影情報の表示・印刷・削除・検索・ソートを可能とする画像記録・再生方法及び装置を提供することを目的とする。
【課題を解決するための手段】
【０００６】
上記課題を解決するために、本発明は、被写体を撮像する撮像手段と、
前記撮像手段により得られた被写体像から、第１の画像データと、第１の画像データよりもサイズの小さい第２の画像データを得る画像処理手段と、前記第１及び第２の画像データを異なる記憶手段に記憶する記憶制御手段と、前記記憶制御手段は、第２の画像データを記憶する記憶手段に前記第１及び第２の画像データの関連性を示す管理データも記憶することを特徴とする。
【発明の効果】
【０００７】
本発明によれば、複数の記憶装置に跨って画像が記憶されている場合であっても、ユーザは簡単に画像の記憶先を知ることができる。
【発明を実施するための最良の形態】
【０００８】
本発明に係るデジタルカメラ装置および画像記録・再生方法について図面を用いて一例を説明する。
【０００９】
図１は本発明に係るデジタルカメラのブロック図である。
【００１０】
このデジタルカメラ装置の一例は、静止画記録機能と動画記録機能とを兼備した電子撮像装置であり、主として撮影レンズ１、撮像素子としてのＣMOS２、信号処理部３、管理情報記憶用メモリ４、画像処理部５、ＶＲＡＭ６（Ｖｉｄｅｏ ＲＡＭ）、表示部７、メモリコントローラ８、撮影情報記憶用メモリ９、画像用一時記憶用メモリ１０、第１の記憶媒体１３用の第１スロット１１、第２の記憶媒体１４用の第２スロット１２、ＣＰＵ１５、ＲＯＭ１６、ＲＡＭ１７、各キースイッチを含む操作部１８から構成されている。
【００１１】
撮影レンズ１は、１枚又は複数枚のレンズで構成され、固定焦点またはズームレンズのような焦点距離可変のものでもよい。撮影レンズ１を介してＣＭＯＳ２の受光面に結像された被写体像は、各センサで入射光量に応じた量の信号に変換され、デジタル信号化する。デジタル信号化されたデータは、メモリコントローラ８を介して画像記憶用メモリ１０に格納される。画像記憶用メモリ１０に記憶されたデータはメモリコントローラ８を介して画像処理部５へ送られる。画像処理部５は、輝度・色差信号変換回路、ガンマ補正回路、画像圧縮・伸張回路等を含む。画像処理部５に入力された画像データは、画像表示や画像印刷、記憶媒体への保存等の目的に応じて所定の処理が施された後、再び画像用記憶用メモリ１０に書き戻される。画像記憶用メモリ１０に格納された画像は、メモリコントローラ８によって読み出され、ＶＲＡＭ６に供給される。ＶＲＡＭ６に記憶されたデータは、表示用の所定方式の信号（例えば、ＮＴＳＣ方式のカラー複合映像信号）に変換された後、ＬＣＤなどの表示部７に出力される。なお、表示部７はＬＣＤに限らず、カラー表示可能な他の表示装置を適用してもよい。また、必要に応じて図示していないキャラクタージェネレータを用い、撮影情報等の文字データを付加することにより、表示部７において文字情報等が合成された画像を表示させることも可能となる。ＣＭＯＳ２から出力される連続的な撮像信号を使用することによって、動画として蓄積することも可能である。
【００１２】
表示部７は電子ビューファインダーとしても利用でき、撮影者は表示部７の表示画像又は図示せぬ光学ファインダーによって撮影画角を確認することができる。操作部１８に含まれるシャッターボタンの押下操作など所定の記録指示（撮影開始指示）操作に応じて、記録用の画像データおよび撮影情報の取り込みが開始される。撮影者が操作部１８から撮影記録の指示を入力すると、ＣＰＵ１５は必要に応じて画像処理部５にコマンドを送り、これにより画像記憶用メモリ１０上の画像データをＪＰＥＧ、ＴＩＦＦ、ＰＩＣＴ、ＢＭＰやその他の所定の形式並びに圧縮方式に従って画像を生成する。生成された画像データおよび撮影情報データ、管理情報を第１のスロット１１又は第２のスロット１２を介してメモリカードその他の記録媒体１３又は１４に記録される。本発明に係るデジタルカメラ装置は、画像データを保存する記録手段として２つのメディアスロット１１、１２を有している。例えば、第１のメディアスロット（スロットＡと呼ぶ）１１として、ＳＤメモリカードやコンパクトフラッシュ（登録商標）カード（Compact Flash Card）に対応したメディアスロットが設けられ、第２のメディアスロット（スロットＢと呼ぶ）１２として、同様にＳＤメモリカード、コンパクトフラッシュ（登録商標）カードに対応したメディアスロットが設けられているものとする。第１のメディアスロット１１には、記録容量２５６ＭＢのＳＤメモリカード（記憶媒体１３に相当）が装着され、第２のメディアスロット１２には、記録容量２５６ＭＢのコンパクトフラッシュ（登録商標）（記録媒体１４に相当）が装着されるものとする。以下、これらの記憶媒体を総称してメディアと呼ぶ。
【００１３】
メディアの形態は上記のものに限定されず、ＰＣカード、マイクロドライブ、マルチメディアカード（ＭＭＣ）、磁気ディスク、光ディスク、光磁気ディスク、メモリスティックなど種々の形態が可能であり、使用される媒体に応じた信号処理手段とインターフェースが適用される。また、使用するメディアの形態、記録容量、及び２つのメディアの組み合わせも上記に態様に限らず、異種、同種の記録メディアを問わず、記録容量の異なる２つの媒体が装着され得る構成であればよい。本発明に係るデジタルカメラ装置は、２つの記録媒体１３、１４が装着された状態で撮影が行われる場合に、本画像データおよび撮影情報をシステムで指定されたもしくは任意に指定した記録手段に記録し、小画像データ、撮影情報および管理データをシステムで指定されたもしくは任意に指定した記録手段に記録する。本画像データおよび撮影情報を格納するスロット、小画像データ、撮影情報および管理データを格納するスロットの選択は、操作部１８のキー操作もしくはＰＣからのコマンド制御により、指定することが可能である。再生モード時には記録媒体１３（又は１４）から読み出された画像データは、画像処理部５によって画像処理され、ＶＲＡＭ６を介して表示部７に出力される。ＣＰＵ１５は、本発明に係るデジタルカメラ装置の各回路を統括制御する制御部（制御手段）であり、バス１９を介してメモリコントローラ８、ＲＯＭ１６、及びＲＡＭ１７等と接続されている。ＲＯＭ１６にはデジタルカメラ装置の制御プログラムや制御に必要な各種の設定データ等が格納されている。ＣＰＵ１５は必要に応じてＲＯＭ１６の情報を読み出して、カメラを制御する。ＲＡＭ１７はＣＰＵ１５が各種の演算処理等を行う際の作業用メモリとして利用される。ＣＰＵ１５は操作部１８から入力される信号に基づき、対応する回路の動作を制御するとともに、表示部７における表示制御も行う。また、ＣＰＵ１５は、焦点調節（ＡＦ）動作の制御、並びに自動露出調節（ＡＥ）の制御等を行う。撮影系や画像処理系などの制御を別々に行い高速化するなど、ＣＰＵその他の回路が２つ以上ある構成でも良い。ＣＰＵ１５はＣＭＯＳ２から出力される撮像信号に基づいて、焦点評価演算やＡＥ演算などの各種演算を行い、その演算に基づいて、図示せぬフォーカスレンズ駆動用モータを制御してフォーカスレンズを合焦位置に移動させるとともに、ＣＭＯＳ２の受光面に結像された被写体像は、各センサで入射光量に応じた量の信号に変換され、デジタル信号化する。したがって、デジタルカメラ装置の撮影レンズ１を被写体に向け、操作部からのキー入力やＰＣからのコマンドにより、最適な露出調整が行われるとともに、ピント合わせが自動的に行われる。なお、ＡＥ、ＡＦはＣＭＯＳから取得される撮像信号に基づいて制御する方法の他、周知の測光センサやＡＦ投光／受光センサからなる測距センサ等を用いてもよい。操作部１８は、画像の記録の指示を与えるシャッターボタンの他、メニューキー、電源OFF/ONキー、表示切替キー、実行キー、撮影モード切替キー、画質モードキー、カラー設定キー、ＩＳＯ値切替キー、ＡＦモードキー、ＡＥモードキー、セルフタイマキー、照明キー、カラー設定キー、その他の各種設定手段を備えたものである。これら入力手段は、スイッチボタン、ダイヤル、スライド式ツマミなどの形態に限らず、表示部１８の画面上に設定メニューや選択項目を表示して、タッチパネルやカーソルで所望の項目を選択する態様もある。操作部１８はカメラ本体に設けられていてもよいし、リモコン送信機としてカメラ本体と分離した構成でも良いし、ＰＣからのコマンドにより制御しても良い。図示していない液晶表示には、カメラの状態や撮影モード等に関する情報を表示するものであり、例えば、電池の残量表示、記録媒体１３、１４の使用状態を示す表示、撮影可能コマ数や再生コマ番号（ファイル名）の表示、ストロボ発光の有無を示す表示、記録画質表示、画素数表示、ＩＳＯ値等の情報が表示される。なお、表示部７においても、カメラの状態や撮影モード等に関する情報を表示させることができる。
【００１４】
上記構成からなるデジタルカメラは、撮影の目的に合わせて、画素数（ピクセル）や記録画質のモード設定を変更できるようになっている。例えば、静止画記録時の画素数については、例えば４０６４×２７０４ピクセル、１２８０×１０２４ピクセル、６４０×４８０ピクセルなど、いずれかの画素数から選択することができ、画質については、例えば圧縮処理を行わずに画像データを記録する非圧縮、可逆圧縮処理（ＲＡＷ）、低圧縮率の圧縮処理、中圧縮率の圧縮処理、高圧縮率の圧縮処理など、いずれかを選択することができる。かかる画素数や画質モードの選択指示は操作部１８から入力することになる。
【００１５】
例えば、管理データ記録媒体を第１のスロットとし、撮影画像記録媒体を第２のスロットに設定したとする。撮影に関して、本画像データ（大データサイズ版の画像）の撮影画素数を４０６４×２７０４ピクセル（約１１００万画素）、画質を可逆圧縮処理（ＲＡＷ）とした場合、およそ１画像あたり１１．４ＭＢとなる。
【００１６】
また、小画像データの撮影画素数を６４０×４８０ピクセル（約２００万画素）、画質を高圧縮率の圧縮処理（ＪＰＥＧ）とした場合、およそ１画像あたり０．１ＭＢとなる。
【００１７】
この設定にて撮影を行なった場合、撮影画像記録媒体である本画像データを記憶する２５６ＭＢの記録媒体には２２画像しか記録できないことになる。
【００１８】
しかしながら、小データ版の画像である高圧縮率画像を記憶する２５６ＭＢの記録媒体には、２５６０画像も記録できることになる。これは、２５６ＭＢの撮影画像記録媒体１１６枚分を管理することが可能となる。
【００１９】
従って、撮影画像（大データサイズ版）を本画像として印刷や拡大表示に用い、撮影画像（小データサイズ版）をディスプレイ表示用などに用いることが可能である。
【００２０】
図２、図３、図４、図５、図２１を用いて、本実施例における撮影処理について説明する。なお、本フローは、メモリコントローラ８が入力信号や読み出したプログラムに従い、各部を制御することで実現する。これは本実施例に置ける以下のフローでも同様である。
【００２１】
撮影が行われることで本フローは開始される。まず、メモリコントローラ８は、各メディアにアクセスし、記憶されているデータの内容を確認する。そして管理データを保存したメディアが挿入されているか判定（ステップ２１０２）する。
【００２２】
挿入されている場合には、メモリコントローラ８は、どちらのメディアに管理データが記憶されているかを判定する（ステップ２１０３）。スロット１に記憶されている場合は、スロット２に撮影画像（大データサイズ版）を保存（ステップ２１０４）するとともに、スロット２に保存した撮影画像に対する情報を記憶（ステップ２１０５）する。さらに、スロット１に撮影画像（小データサイズ版）を保存（ステップ２１０６）し、スロット１に管理データを保存（ステップ２１０７）する。
【００２３】
図４に管理データの一例を示す。この管理データには、撮影画像（大データサイズ版）の格納場所を示す「撮影画像保存カードＩＤ」、「大画像保存ディレクトリ名」というパラメータが含まれている。これらのパラメータを参照することで、撮像装置は撮影画像（大データサイズ版）と撮影画像（小データサイズ版）の対応をとることが可能となる。なお、管理データは画像ファイルとは別のファイルとして記憶してもよいし、画像ファイルの一部に書き込まれていてもよい。
【００２４】
次に、ステップ２１０３にて、スロット２に管理データが記憶されていると判定した場合について説明する。
【００２５】
この場合には、メモリコントローラ８はスロット１に撮影画像（大データサイズ版）を保存（ステップ２１０８）するとともに、スロット１に保存した撮影画像に対する情報を記憶（ステップ２１０９）する。
【００２６】
さらにスロット２に撮影画像（小データサイズ版）を保存する（ステップ２１１０）とともに、スロット２に図４に示す管理データを保存（ステップ２１１１）する。
【００２７】
なお、ステップ２１０２にて、どのメディアにも管理データが記憶されていないと判定した場合には、管理データに関する処理は行わずに撮影画像の保存を行う。
【００２８】
次に、本実施例において、撮影した画像を表示する動作について説明する。以下、図５、図７、図８、図９、図１０、図１１、図２２を用いて説明する。
【００２９】
本フローは、ユーザ操作により撮影画像の表示が指示されたときに開始される。
【００３０】
まず、メモリコントローラ８は、各メディアにアクセスし、記憶されているデータの内容を確認する。そして管理データを保存したメディアが挿入されているか判定（ステップ２２０２）する。
【００３１】
挿入されていると判定した場合には、メモリコントローラ８は、どちらのメディアに管理データが記憶されているかを判定する（ステップ２２０３）。
【００３２】
スロット１に記憶されていると判定した場合には、スロット１から撮影画像（小データサイズ版）読出（ステップ２２０４）す。スロット２に記憶されていると判定した場合には、スロット２から撮影画像（小データサイズ版）を読出す（ステップ２２０５）。
【００３３】
メモリコントローラ８は読み出した撮影画像（小データサイズ版）を表示部７に表示する（ステップ２２０６）。本ステップにおける表示の例をいくつか述べる。図５は撮影画像複数毎表示画面である。撮影画像が１画面に複数表示される。なお、この際には画像とともに、対応する撮影画像（大データサイズ版）が記憶されているメディアも同時に表示する。この表示は、管理データのうち「撮影画像保存カードＩＤ」を参照することで実現できる。図７、図８は検索指定画面の一例である。この画面からユーザ操作により検索条件が入力され、条件に合致した画像が表示される。これらの表示画像はユーザ操作により選択可能であり、メモリコントローラ８は、選択された画像を表示対象として設定する。また、本ステップでは表示モードの設定を行う。表示モードとは、例えば拡大率の大小、属性情報の表示の有無などの表示形態を示すものである。
【００３４】
次に、メモリコントローラ８は、ステップ２２０６で設定された表示モードに基づき、表示対象の画像の加工を行い（ステップ２２０７）、表示部７に表示する（ステップ２２１３）。表示モードに応じた表示の一例を図５、図９、図１０、図１１に示す。
【００３５】
以下、ステップ２２０２にて、管理データが記憶されていないと判定された場合について説明する。
【００３６】
メモリコントローラ８は、撮影画像（大データサイズ版）が記憶されているスロットを判定（ステップ２２０８）する。スロット１に記憶されていれば、スロット１から撮影画像（大データサイズ版）の読出しを行う（ステップ２２０９）。スロット２に記憶されていれば、スロット２から撮影画像（大データサイズ版）の読出しを行う（ステップ２２１０）。
【００３７】
ステップ２２１１、２２１２、２２１３の処理はステップ２２０６、２２０７、２２１３の処理と同様であるが、表示の対象は撮影画像（小データサイズ版）
でなく、撮影画像（大データサイズ版）である。
【００３８】
次に、図５、図７、図８、図９、図１０、図１１、図２３を用いて、表示部７に撮影画像（小データサイズ版）を表示した状態から、撮影画像（大データサイズ版）を表示させる処理について説明する。
【００３９】
なお、ステップ２３０１〜２３０８、ステップ２３１７〜２３２２については図２２のフローと同様なので、ここでは説明を省略し、ステップＳ２３０９以下の処理について説明する。
【００４０】
ステップ２３０８にて撮影画像（小データサイズ版）の表示を行った後、メモリコントローラ８は、撮影画像（大データサイズ版）の読出しを行うか否かを判定（ステップ２３０９）する。例えば、図１１に示すように拡大表示などを行う場合には、撮影画像（大データサイズ版）を読み出して表示した方がよい。なお、読み出すか否かの判定は、ユーザ操作に応じて行ってもよいし、ステップ２３０６で設定した表示モードに応じて行ってもよい。例えば、拡大率が一定以上の表示モードに設定されている場合には、自動的に撮影画像（大データサイズ版）の読み出しを行う判定をしてもよい。
【００４１】
読み出しを行うと判定した場合は、メモリコントローラ８は撮影画像（大データサイズ版）がどのスロットに保存されているかを判定（ステップ２３１０）する。判定は、管理データの「撮影画像保存カードＩＤ」、「大画像保存ディレクトリ名」を参照することにより実現できる。
【００４２】
スロット１の場合は、スロット１から撮影画像（大データサイズ版）の読出し（ステップ２３１２）を行う。スロット２の場合は、スロット２から撮影画像（大データサイズ版）の読出し（ステップ２３１４）を行う。
【００４３】
次に、メモリコントローラ８は、表示モードに基づき、表示をするための画像の加工（ステップ２３１５）を行い、表示部７に画像を表示（ステップ２３１６）する。
【００４４】
以下、ステップ２３０９において、メモリコントローラ８が撮影画像（大データサイズ版）の読出しを行わないと判定した場合について説明する。この場合にはメモリコントローラ８は処理をステップ２３０３に戻す。例えば図９、図１３に示すように、画像を小さく表示する場合には、画質が多少低くてもユーザの閲覧に問題は少ない。従って、このような場合には読出しを行わなくともよい。前述のように、判定はユーザ操作に応じて行ってもよいし、ステップ２３０６で設定した表示モードに応じて行ってもよい。
【００４５】
次に、本実施例における撮影画像の印刷についての動作について、図１２、図１４、図１５、図２４を用いて説明する。本フローは、ユーザ操作などにより印刷開始の指示がされたときに開始される
まず、メモリコントローラ８は、各メディアにアクセスし、記憶されているデータの内容を確認する。そして管理データを保存したメディアが挿入されているか判定（ステップ２４０２）する。
【００４６】
挿入されていると判定した場合には、メモリコントローラ８は、どちらのメディアに管理データが記憶されているかを判定する（ステップ２４０３）。
【００４７】
スロット１に記憶されていると判定した場合には、スロット１から撮影画像（小データサイズ版）読み出（ステップ２４０４）す。スロット２に記憶されていると判定した場合には、スロット２から撮影画像（小データサイズ版）を読出す（ステップ２４０５）。そして読み出したデータを図５の撮影画像複数毎表示画面ように表示する。
【００４８】
次にメモリコントローラ８は、ユーザ操作に応じて、印刷の対象となる画像を選択するのための画面表示を行う。この画面では、ユーザの操作、もしくは自動的に印刷パラメータの設定（ステップ２４０６）を行い、印刷形態を決定する。
【００４９】
次にメモリコントローラ８は、撮影画像（大データサイズ版）の読出しを行うか否かを判定（ステップ２４０７）する。例えば、大きい紙サイズへの印刷や、図１５に示すように画像を拡大して印刷する場合などは、撮影画像（大データサイズ版）を読み出す必要がある。
【００５０】
読み出しを行うと判定した場合は、撮影画像（大データサイズ版）がどのスロットに記憶されているかを判定（ステップ２４１０）する。スロット１であると判定した場合は、スロット１から撮影画像（大データサイズ版）を読み出す（ステップ２４１２）。スロット２であると判定した場合は、スロット２から撮影画像（大データサイズ版）読み出す（ステップ２４１４）。
【００５１】
そしてメモリコントローラ８は、印刷パラメータにあった印刷を行うための画像加工（ステップ２４１５）を行い、印刷装置に画像・印刷情報の出力（ステップ２４１６）を行う。
【００５２】
以下、ステップ２４０７にて、メモリコントローラ８が撮影画像（大データサイズ版）の読出しを行わないと判定した場合の処理について説明する。例えば、図１２に示すようなインデックス印刷や、図１４に示すような被写体が小さな画像を印刷する場合には、撮影画像（大データサイズ版）の読み出しは必要でない。そこでこのような場合には、既に読み出している撮影画像（小データサイズ版）を用い、画像・印刷パラメータにあった印刷するための画像加工（ステップ２４０８）を行い、印刷装置に画像・印刷情報を出力（ステップ２４０９）を行う。なお、ステップ２４０７での判定はユーザ操作により任意に行ってもよいし、メモリコントローラ８が自動的に行ってもよい。例えば、１枚印刷の場合には撮影画像（大データサイズ版）の読出しを行い、インデックス印刷の場合には行わないようにしてもよい。
【００５３】
ステップ２４０２にて、管理データが記憶されているメディアがないと判断した場合には、メモリコントローラ８は撮影画像（大データサイズ版）が保存されているスロットを判定（ステップ２４１７）する。スロット１であれば、スロット１から撮影画像（大データサイズ版）の読み出しを行う（ステップ２４１８）。スロット２であれば、スロット２から撮影画像（大データサイズ版）の読み出しを行う（ステップ２４１９）。
【００５４】
そしてメモリコントローラ８は、印刷する画像選択および印刷パラメータの設定（ステップ２４２０）を行い、画像・印刷パラメータにあった印刷するための画像加工（ステップ２４２１）を行い、印刷装置に画像・印刷情報を出力（ステップ２４２２）を行う。
【００５５】
以下、本実施例において、撮影した画像を削除する処理について、図１６、図１７、図１８、図１９、図２０、図２５を用いて説明する。
【００５６】
図２５のステップ２５０２〜ステップ２５０５は図２４のステップ２４０２〜２４０５と同様の処理なので、ここでは説明を割愛する。
【００５７】
メモリコントローラ８は、削除する画像を選択させるために、図１６の削除画像指定表示画面１に示すような、削除する画像選択のための画面表示を行う。図１７の削除画像指定表示画面２に示すように、ユーザ操作により削除する画像を選択（ステップ２５０６）させる。ここでは、CF２の画像１、CF４の画像２、CF４の画像５、CF2の画像５がユーザにより選択され、メモリコントローラ８はこれらの画像を選択対象として設定する。
【００５８】
次にメモリコントローラ８は、削除対象として選択された画像の管理情報をのうち、「撮影画像保存カードＩＤ」を参照し、抜き挿しの一番少ない回数で済むような削除順番の判断（ステップ２５０７）を行う。例えば同じメディアに記録されている画像は一連の削除処理として連続して削除すると、一度削除処理を行ったメディアの抜き差しはもう行わなくてよい。
【００５９】
この実施例では、CF２に記憶されている画像１、画像５削除する。メモリコントローラ８は、図１９に示す削除時の記録メディア挿入メッセージを表示し、メディアが挿入されれば削除を実行することになる。次に、メモリコントローラ８は、CF4の画像２、画像５を削除するために、図２０の削除時の記録メディア挿入メッセージを表示し、削除を実行する。このように、同じメディアの画像を連続して削除させることで、メディアの抜き差しを最低限の回数におさえることが可能である。
【００６０】
順番を判断した後、メモリコントローラ８は、撮影画像（大データサイズ版）が記憶されているスロットを判定（ステップ２５０８）し、その判定に基づき、削除指定画面を表示部７に表示する。
【００６１】
撮影画像（大データサイズ版）が記憶されているのがスロット１の場合は、スロット１にアクセスし、削除指示した画像（大データサイズ版）を削除（ステップ２５１０）する。そしてスロット２の削除指示した画像（小データサイズ版）および撮影情報を削除（ステップ２５１１）する。管理データが別ファイルの場合には、スロット２の管理データを更新（ステップ２５１２）する。
【００６２】
撮影画像（小データサイズ版）が記憶されているのがスロット１の場合は、スロット２にアクセスし、スロット２の削除指示した画像（大データサイズ版）を削除（ステップ２５１４）する。そしてスロット１の削除指示した画像（小データサイズ版）および撮影情報を削除（ステップ２５１５）する。管理データが別ファイルの場合には、ロット１の管理データを更新（ステップ２５１６）する。
【００６３】
次にメモリコントローラ８は、削除指示した画像が、装着されているメディア内に存在するか判定（ステップ２５１７）する。存在する場合には、撮影画像（大データサイズ版）が記憶されているスロットを判定（ステップ２５１８）する。メモリコントローラ８は、スロット１に記憶されていれば処理をステップ２５１０へ進め、スロットに記憶されていれば処理をステップ２５１４に進める。
【００６４】
ステップ２５１７にて、Noの場合は、削除指示した画像が未だ存在するか判定（ステップ２５１９）し、Yesであれば、ステップ２５０８へ移行し、図２０の削除指定画面２を示すような表示を行い、Noであれば、削除終了（ステップ２５２５）する。
【００６５】
この実施例では、削除終了すると、図１８の撮影画像複数枚表示画面３の状態となる。
【００６６】
ステップ２５０２にて、削除指示した画像が、同一メディア内に存在しないと判定した場合には、メモリコントローラ８は、撮影画像（大データサイズ版）が記憶されているスロットを判断（ステップ２５２０）する。スロット１であれば、スロット１から撮影画像（大データサイズ版）の読み出しを行う。（ステップ２５２１）、スロット２であれば、スロット２から撮影画像（大データサイズ版）の読み出しを行う。（ステップ２５２２）。
【００６７】
そして削除する画像選択のための画面表示に移行し、ユーザ操作に基づき削除する画像の選択（ステップ２５２３）を行わせ、選択された画像を削除（ステップ２５２４）する。
【図面の簡単な説明】
【００６８】
【図１】デジタルカメラの構成を示すブロック図である。
【図２】本発明の実施例におけるデジタルカメラおよび記録媒体を示す図である。
【図３】本発明の実施例における撮影順番を示す図である。
【図４】撮影情報および管理データのデータ構造を示す図である。
【図５】本発明の実施例における撮影画像複数枚表示画面１を示す図である。
【図６】本発明の実施例における撮影画像複数枚表示画面２を示す図である。
【図７】本発明の実施例における検索指定画面１を示す図である。
【図８】本発明の実施例における検索指定画面２を示す図である。
【図９】本発明の実施例における撮影画像１枚表示画面１を示す図である。
【図１０】本発明の実施例における撮影画像１枚表示画面２を示す図である。
【図１１】本発明の実施例における撮影画像１枚表示画面３を示す図である。
【図１２】本発明の実施例における撮影画像インデックス印刷１を示す図である。
【図１３】本発明の実施例における撮影画像インデックス印刷２を示す図である。
【図１４】本発明の実施例における撮影画像１枚印刷１を示す図である。
【図１５】本発明の実施例における撮影画像１枚印刷２を示す図である。
【図１６】本発明の実施例における削除画像指定表示画面１を示す図である。
【図１７】本発明の実施例における削除画像指定表示画面２を示す図である。
【図１８】本発明の実施例における撮影画像複数枚表示画面３を示す図である。
【図１９】本発明の実施例における削除指定画面１を示す図である。
【図２０】本発明の実施例における削除指定画面２を示す図である。
【図２１】本発明の実施例における撮影処理手順を示すフローチャートである。
【図２２】本発明の実施例における表示１処理手順を示すフローチャートである。
【図２３】本発明の実施例における表示２処理手順を示すフローチャートである。
【図２４】本発明の実施例における印刷処理手順を示すフローチャートである。
【図２５】本発明の実施例における削除処理手順を示すフローチャートである。
【図１】
2008113166.tif 000003
【図２】
2008113166.tif 000004
【図３】
2008113166.tif 000005
【図４】
2008113166.tif 000006
【図５】
2008113166.tif 000007
【図６】
2008113166.tif 000008
【図７】
2008113166.tif 000009
【図８】
2008113166.tif 000010
【図９】
2008113166.tif 000011
【図１０】
2008113166.tif 000012
【図１１】
2008113166.tif 000013
【図１２】
2008113166.tif 000014
【図１３】
2008113166.tif 000015
【図１４】
2008113166.tif 000016
【図１５】
2008113166.tif 000017
【図１６】
2008113166.tif 000018
【図１７】
2008113166.tif 000019
【図１８】
2008113166.tif 000020
【図１９】
2008113166.tif 000021
【図２０】
2008113166.tif 000022
【図２１】
2008113166.tif 000023
【図２２】
2008113166.tif 000024
【図２３】
2008113166.tif 000025
【図２４】
2008113166.tif 000026
【図２５】
2008113166.tif 000027